(57)【要約】【課題】既存の自動販売機を使用して安価に商品購入システムを構築できるようにする。【解決手段】商品購入者が自動販売機１０のボタンを押すと、商品選択管理部１３はそのボタンの商品の商品番号を認識し、金額精算管理部１２はその商品の価格を認識する。携帯電話用商品購入ユニット２０は、商品番号と価格を取得し、精算ボタン２３が押されると、携帯電話会社のインターネットアクセスサイトおよび決済システム４０を介してインターネット６０経由で自動販売機管理者のＷｅｂサイト５０に商品番号と価格を送信する。自動販売機管理者のＷｅｂサイト５０は、携帯電話会社のインターネットアクセスサイトおよび決済システム４０に購入商品の決済を指示し、決済が完了したことが携帯電話３０を介して携帯電話用商品購入ユニット２０に通知されると、商品払い出し部１４は商品を払い出す。【選択図】　　　図１
2004086270.tif 000002
【特許請求の範囲】
【請求項１】
自動販売機に接続された決済ユニットが、インターネットアクセスサイトを介して所定のＷｅｂサイトにアクセスし、自動販売機が販売した商品の決済を、インターネットアクセスサイトが行う決済システムであって、
前記決済ユニットは、
携帯電話を接続する携帯電話接続手段と、
前記自動販売機が販売しようとする商品に関する商品情報と、販売した前記商品の販売価格を取得する取得手段と、
前記取得手段によって取得された前記商品情報と前記販売価格とを記憶する記憶手段と、
前記取得手段によって取得された前記商品情報と前記販売価格とを、前記携帯電話の通信機能を利用して、前記インターネットアクセスサイトを介して前記Ｗｅｂサイトに送信する第１の送信手段と、
前記インターネットアクセスサイトからの決済完了通知を前記携帯電話の通信機能を利用して受信する第１の受信手段と、
前記第１の受信手段によって前記決済完了通知が受信されたとき、前記自動販売機に対して前記商品の払い出しを指示する第１の指示手段と
を備え、
前記Ｗｅｂサイトは、
前記決済ユニットから送信されてきた前記自動販売機が販売しようとする商品の前記商品情報と、前記販売価格とに基づいて、前記インターネットアクセスサイトに対して、前記商品の決済を行うように指示する第２の指示手段
を備え、
前記インターネットアクセスサイトは、
前記決済ユニットに接続された前記携帯電話から送信されてきた前記携帯電話に固有の暗証番号を受信する第２の受信手段と、
前記暗証番号が正しい暗証番号であるか否かを判定する判定手段と、
前記判定手段による判定結果に応じて、前記Ｗｅｂサイトからの前記指示に従って、前記商品の代金を前記暗証番号に対応する前記携帯電話を所有する前記商品の購入者の電話料金に加算して決済する決済手段と、
決済が完了したことを示す決済完了通知を前記決済ユニットに送信する第２の送信手段とを備える
ことを特徴とする決済システム。
【請求項２】
前記決済ユニットは、精算ボタンを有し、前記精算ボタンが押されたとき、前記自動販売機が販売しようとする商品の商品情報と、前記商品の販売価格を、前記携帯電話の通信機能を利用して前記Ｗｅｂサイトに送信する
ことを特徴とする請求項１に記載の決済システム。
【請求項３】
前記自動販売機は、選択された商品を管理する商品選択管理手段と、選択された商品の販売価格を管理する販売価格管理手段と、前記決済ユニットからの指示に従って、選択された商品の払い出しを行う商品払い出し手段と
を備えることを特徴とする請求項１または２に記載の決済システム。
【請求項４】
前記決済ユニットは、前記商品選択管理手段から、選択された商品の商品情報を取得し、前記販売価格管理手段から、前記商品の販売価格を取得する
ことを特徴とする請求項３に記載の決済システム。
【請求項５】
前記インターネットアクセスサイトは、各携帯電話の暗証番号を電話番号に対応づけて記憶しており、前記判定手段は、前記携帯電話から送信されてきた前記暗証番号と前記電話番号の組み合わせが、記憶している暗証番号と電話番号の組み合わせの中に存在するとき、前記暗証番号が正しいものであると判定し、前記決済手段は、前記Ｗｅｂサイトからの前記指示に従って、前記商品の代金を前記暗証番号に対応する前記携帯電話を所有する前記商品の購入者の電話料金に加算して決済する
ことを特徴とする請求項１乃至４のいずれかに記載の決済システム。
【請求項６】
自動販売機に接続された決済ユニットが、インターネットアクセスサイトを介して所定のＷｅｂサイトにアクセスし、自動販売機が販売した商品の決済を、インターネットアクセスサイトが行う決済システムにおける決済方法であって、
前記決済ユニットは、
携帯電話を接続する携帯電話接続ステップと、
前記自動販売機が販売しようとする商品に関する商品情報と、販売した前記商品の販売価格を取得する取得ステップと、
前記取得ステップにおいて取得された前記商品情報と前記販売価格とを記憶する記憶ステップと、
前記取得ステップにおいて取得された前記商品情報と前記販売価格とを、前記携帯電話の通信機能を利用して、前記インターネットアクセスサイトを介して前記Ｗｅｂサイトに送信する第１の送信ステップと、
前記インターネットアクセスサイトからの決済完了通知を前記携帯電話の通信機能を利用して受信する第１の受信ステップと、
前記第１の受信ステップにおいて前記決済完了通知が受信されたとき、前記自動販売機に対して前記商品の払い出しを指示する第１の指示ステップと
を備え、
前記Ｗｅｂサイトは、
前記決済ユニットから送信されてきた前記自動販売機が販売しようとする商品の前記商品情報と、前記販売価格とに基づいて、前記インターネットアクセスサイトに対して、前記商品の決済を行うように指示する第２の指示ステップ
を備え、
前記インターネットアクセスサイトは、
前記決済ユニットに接続された前記携帯電話から送信されてきた前記携帯電話に固有の暗証番号を受信する第２の受信ステップと、
前記暗証番号が正しい暗証番号であるか否かを判定する判定ステップと、
前記判定ステップにおける判定結果に応じて、前記Ｗｅｂサイトからの前記指示に従って、前記商品の代金を前記暗証番号に対応する前記携帯電話を所有する前記商品の購入者の電話料金に加算して決済する決済ステップと、
決済が完了したことを示す決済完了通知を前記決済ユニットに送信する第２の送信ステップとを備える
ことを特徴とする決済方法。
【請求項７】
自動販売機に接続された決済ユニットが、インターネットアクセスサイトを介して所定のＷｅｂサイトにアクセスし、自動販売機が販売した商品の決済を、インターネットアクセスサイトが行う決済システムを制御する決済プログラムであって、
前記決済ユニットに、
携帯電話を接続する携帯電話接続ステップと、
前記自動販売機が販売しようとする商品に関する商品情報と、販売した前記商品の販売価格を取得する取得ステップと、
前記取得ステップにおいて取得された前記商品情報と前記販売価格とを記憶する記憶ステップと、
前記取得ステップにおいて取得された前記商品情報と前記販売価格とを、前記携帯電話の通信機能を利用して、前記インターネットアクセスサイトを介して前記Ｗｅｂサイトに送信する第１の送信ステップと、
前記インターネットアクセスサイトからの決済完了通知を前記携帯電話の通信機能を利用して受信する第１の受信ステップと、
前記第１の受信ステップにおいて前記決済完了通知が受信されたとき、前記自動販売機に対して前記商品の払い出しを指示する第１の指示ステップと
を実行させ、
前記Ｗｅｂサイトに、
前記決済ユニットから送信されてきた前記自動販売機が販売しようとする商品の前記商品情報と、前記販売価格とに基づいて、前記インターネットアクセスサイトに対して、前記商品の決済を行うように指示する第２の指示ステップ
を実行させ、
前記インターネットアクセスサイトに、
前記決済ユニットに接続された前記携帯電話から送信されてきた前記携帯電話に固有の暗証番号を受信する第２の受信ステップと、
前記暗証番号が正しい暗証番号であるか否かを判定する判定ステップと、
前記判定ステップにおける判定結果に応じて、前記Ｗｅｂサイトからの前記指示に従って、前記商品の代金を前記暗証番号に対応する前記携帯電話を所有する前記商品の購入者の電話料金に加算して決済する決済ステップと、
決済が完了したことを示す決済完了通知を前記決済ユニットに送信する第２の送信ステップとを実行させる
ことを特徴とする決済プログラム。
【発明の詳細な説明】
【０００１】
【発明の属する技術分野】
本発明は、決済システムに関し、特に、自動販売機等で購入した商品の代金の決済を、携帯電話を使用して行う決済システムに関する。
【０００２】
【従来の技術】
従来より、自動販売機における携帯電話を利用した決済システムに関してはいろいろな発明がなされているが、これらの発明は、自動販売機自体を専用の自動販売機に置き換える必要があった。
【０００３】
【発明が解決しようとする課題】
しかしながら、専用の自動販売機を製造するためには多額の投資が必要となる。また、既存の自動販売機を専用の自動販売機で置き換える場合にも資金が必要となり、コストがかかるという問題点があった。
【０００４】
本発明はこのような状況に鑑みてなされたものであり、既存の自動販売機に別ユニットを追加することにより、商品購入者は携帯電話を使用して、自動販売機から商品を購入し、決済を行うことができるようにするものである。
【０００５】
【課題を解決するための手段】
請求項１に記載の決済システムは、自動販売機に接続された決済ユニットが、インターネットアクセスサイトを介して所定のＷｅｂサイトにアクセスし、自動販売機が販売した商品の決済を、インターネットアクセスサイトが行う決済システムであって、決済ユニットは、携帯電話を接続する携帯電話接続手段と、自動販売機が販売しようとする商品に関する商品情報と、販売した商品の販売価格を取得する取得手段と、取得手段によって取得された商品情報と販売価格とを記憶する記憶手段と、取得手段によって取得された商品情報と販売価格とを、携帯電話の通信機能を利用して、インターネットアクセスサイトを介してＷｅｂサイトに送信する第１の送信手段と、インターネットアクセスサイトからの決済完了通知を携帯電話の通信機能を利用して受信する第１の受信手段と、第１の受信手段によって決済完了通知が受信されたとき、自動販売機に対して商品の払い出しを指示する第１の指示手段とを備え、Ｗｅｂサイトは、決済ユニットから送信されてきた自動販売機が販売しようとする商品の商品情報と、販売価格とに基づいて、インターネットアクセスサイトに対して、商品の決済を行うように指示する第２の指示手段を備え、インターネットアクセスサイトは、決済ユニットに接続された携帯電話から送信されてきた携帯電話に固有の暗証番号を受信する第２の受信手段と、暗証番号が正しい暗証番号であるか否かを判定する判定手段と、判定手段による判定結果に応じて、Ｗｅｂサイトからの指示に従って、商品の代金を暗証番号に対応する携帯電話を所有する商品の購入者の電話料金に加算して決済する決済手段と、決済が完了したことを示す決済完了通知を決済ユニットに送信する第２の送信手段とを備えることを特徴とする。
また、決済ユニットは、精算ボタンを有し、精算ボタンが押されたとき、自動販売機が販売しようとする商品の商品情報と、商品の販売価格を、携帯電話の通信機能を利用してＷｅｂサイトに送信するようにすることができる。
また、自動販売機は、選択された商品を管理する商品選択管理手段と、選択された商品の販売価格を管理する販売価格管理手段と、決済ユニットからの指示に従って、選択された商品の払い出しを行う商品払い出し手段とを備えるようにすることができる。
また、決済ユニットは、商品選択管理手段から、選択された商品の商品情報を取得し、販売価格管理手段から、商品の販売価格を取得するようにすることができる。
また、インターネットアクセスサイトは、各携帯電話の暗証番号を電話番号に対応づけて記憶しており、判定手段は、携帯電話から送信されてきた暗証番号と電話番号の組み合わせが、記憶している暗証番号と電話番号の組み合わせの中に存在するとき、暗証番号が正しいものであると判定し、決済手段は、Ｗｅｂサイトからの指示に従って、商品の代金を暗証番号に対応する携帯電話を所有する商品の購入者の電話料金に加算して決済するようにすることができる。
請求項６に記載の決済方法は、自動販売機に接続された決済ユニットが、インターネットアクセスサイトを介して所定のＷｅｂサイトにアクセスし、自動販売機が販売した商品の決済を、インターネットアクセスサイトが行う決済システムにおける決済方法であって、決済ユニットは、携帯電話を接続する携帯電話接続ステップと、自動販売機が販売しようとする商品に関する商品情報と、販売した商品の販売価格を取得する取得ステップと、取得ステップにおいて取得された商品情報と販売価格とを記憶する記憶ステップと、取得ステップにおいて取得された商品情報と販売価格とを、携帯電話の通信機能を利用して、インターネットアクセスサイトを介してＷｅｂサイトに送信する第１の送信ステップと、インターネットアクセスサイトからの決済完了通知を携帯電話の通信機能を利用して受信する第１の受信ステップと、第１の受信ステップにおいて決済完了通知が受信されたとき、自動販売機に対して商品の払い出しを指示する第１の指示ステップとを備え、Ｗｅｂサイトは、決済ユニットから送信されてきた自動販売機が販売しようとする商品の商品情報と、販売価格とに基づいて、インターネットアクセスサイトに対して、商品の決済を行うように指示する第２の指示ステップを備え、インターネットアクセスサイトは、決済ユニットに接続された携帯電話から送信されてきた携帯電話に固有の暗証番号を受信する第２の受信ステップと、暗証番号が正しい暗証番号であるか否かを判定する判定ステップと、判定ステップにおける判定結果に応じて、Ｗｅｂサイトからの指示に従って、商品の代金を暗証番号に対応する携帯電話を所有する商品の購入者の電話料金に加算して決済する決済ステップと、決済が完了したことを示す決済完了通知を決済ユニットに送信する第２の送信ステップとを備えることを特徴とする。
請求項７に記載の決済プログラムは、自動販売機に接続された決済ユニットが、インターネットアクセスサイトを介して所定のＷｅｂサイトにアクセスし、自動販売機が販売した商品の決済を、インターネットアクセスサイトが行う決済システムを制御する決済プログラムであって、決済ユニットに、携帯電話を接続する携帯電話接続ステップと、自動販売機が販売しようとする商品に関する商品情報と、販売した商品の販売価格を取得する取得ステップと、取得ステップにおいて取得された商品情報と販売価格とを記憶する記憶ステップと、取得ステップにおいて取得された商品情報と販売価格とを、携帯電話の通信機能を利用して、インターネットアクセスサイトを介してＷｅｂサイトに送信する第１の送信ステップと、インターネットアクセスサイトからの決済完了通知を携帯電話の通信機能を利用して受信する第１の受信ステップと、第１の受信ステップにおいて決済完了通知が受信されたとき、自動販売機に対して商品の払い出しを指示する第１の指示ステップとを実行させ、Ｗｅｂサイトに、決済ユニットから送信されてきた自動販売機が販売しようとする商品の商品情報と、販売価格とに基づいて、インターネットアクセスサイトに対して、商品の決済を行うように指示する第２の指示ステップを実行させ、インターネットアクセスサイトに、決済ユニットに接続された携帯電話から送信されてきた携帯電話に固有の暗証番号を受信する第２の受信ステップと、暗証番号が正しい暗証番号であるか否かを判定する判定ステップと、判定ステップにおける判定結果に応じて、Ｗｅｂサイトからの指示に従って、商品の代金を暗証番号に対応する携帯電話を所有する商品の購入者の電話料金に加算して決済する決済ステップと、決済が完了したことを示す決済完了通知を決済ユニットに送信する第２の送信ステップとを実行させることを特徴とする。
【０００６】
【発明の実施の形態】
以下、本発明が適用される自動販売機から携帯電話を利用して商品を購入できる商品購入決済システムの一実施の形態の概要について説明する。
【０００７】
従来より、自動販売機から携帯電話を利用して商品を購入する決済システムに関しては、様々な発明がなされているが、本実施の形態の特徴は、現在あるシステム、即ち、携帯電話をインターネットに接続して商品購入および決済を行う商品購入決済システム（例えば、顧客が携帯電話を使用して着信メロディーデータを購入し、ダウンロードするシステム等）を応用し、自動販売機がインターネットを介して商品購入決済システムに接続するための通信手段として、利用者が所有する携帯電話を使用する点である。これによって、自動販売機を含め、本実施の形態に対応したシステム構築費を抑えることができるという利点がある。
【０００８】
図１は、本発明が適用される商品購入決済システムの一実施の形態の構成例を示している。同図に示すように、本実施の形態は、自動販売機１０と、携帯電話用商品購入ユニット２０と、自動販売機管理者のＷｅｂサイト５０と、携帯電話３０と、携帯電話会社のインターネットアクセスサイトおよび決済システム４０とから構成されている。
【０００９】
自動販売機１０は、自動販売機１０の動作を制御する自動販売機管理制御部１１を備えている。自動販売機管理制御部１１は、金額精算処理を行う金額精算管理部１２と、商品選択処理を行う商品選択管理部１３と、商品の払い出しを行う商品払い出し部１４とから構成されている。
【００１０】
携帯電話用商品購入ユニット２０は、ディスプレイ２１と、開始ボタン２２と、精算ボタン２３と、携帯電話接続部２４を備えている。また、携帯電話用商品購入ユニット２０は、自動販売機１０の自動販売機管理制御部１１に接続され、自動販売機管理制御部１１を構成する金額精算管理部１２、商品選択管理部１３、および商品払い出し部１４にそれぞれ接続されている。
【００１１】
自動販売機管理者のＷｅｂサイト５０は、インターネット６０に接続された所定のサーバコンピュータ上で提供されるサイトである。また、携帯電話会社のインターネットアクセスおよび決済システム４０は、図示せぬパケット網およびインターネット６０に接続され、携帯電話３０からパケット網を介して直接アクセスすることができるようになっている。また、携帯電話会社のインターネットアクセスおよび決済システム４０は、自動販売機管理者のＷｅｂサイト５０から、インターネット６０を介して接続することができるようになっている。
【００１２】
次に、本実施の形態の動作について説明する。まず、商品購入者は、使用する携帯電話３０の図示せぬ接続コネクタを、携帯電話用商品購入ユニット２０の携帯電話接続部２４に接続する。これにより、自動販売機１０は、携帯電話用商品購入ユニット２０を介して携帯電話３０の通信機能（インターネット接続機能を含む）を使用することが可能となる。
【００１３】
次に、商品購入者（利用者）によって、携帯電話用商品購入ユニット２０の開始ボタン２２が押されると、携帯電話用商品購入ユニット２０は、開始ボタン２２が押されたことを認識する（ステップＳ１）。
【００１４】
携帯電話用商品購入ユニット２０は、開始ボタン２２が押されたことを認識すると、携帯電話３０が有するインターネット接続機能を利用し、携帯電話会社のインターネットアクセスサイトおよび決済システム４０を介して、インターネット６０経由で、自動販売機管理者のＷｅｂサイト５０にアクセスする。即ち、携帯電話３０は、パケット網を介して、携帯電話会社のインターネットアクセスサイトおよび決済システム４０に接続し、インターネット６０を経由して、自動販売機管理者のＷｅｂサイト５０にアクセスする（ステップＳ２）。
【００１５】
次に、自動販売機１０による、インターネット６０を介した自動販売機管理者のＷｅｂサイト５０へのアクセスが完了すると、携帯電話用商品購入ユニット２０は、ディスプレイ２１にアクセス状態を表示する（ステップＳ３）。
【００１６】
次に、商品購入者が、自動販売機１０が販売している商品のうち、購入したい所望の商品を選択し、自動販売機１０に設けられた、選択した商品に対応する図示せぬボタンを押すと、そのボタンが押されたことを示す信号が、自動販売機１０の商品選択管理部１３に供給される。商品選択管理部１３は、この信号に基づいて、商品購入者によって押されたボタンを認識し、そのボタンに対応する商品の商品番号を認識する。即ち、商品選択管理部１３は、各ボタンに対応する商品番号を記憶している。そして、認識した商品番号を金額精算管理部１２に供給する。金額精算管理部１２は、各商品の販売価格を記憶しており、商品選択管理部１３より供給された商品番号に対応する商品の販売価格を認識する（ステップＳ４）。
【００１７】
このとき、携帯電話用商品購入ユニット２０は、商品購入者によって押された自動販売機１０の図示せぬボタンに対応する商品の商品番号を商品選択管理部１３から取得し、記憶するとともに、その商品に対応する販売価格（金額）を金額精算管理部１２から取得し、商品番号とその金額とを対応づけて記憶する（ステップＳ５）。
【００１８】
商品購入者が、購入したい商品があるだけ、それらの商品のボタンを押すと、ステップＳ４、ステップＳ５の処理が繰り返し実行される。このとき、携帯電話用商品購入ユニット２０は、商品購入者によって押されたボタンに対応する全商品の合計金額を演算し、押されたボタンに対応する商品の商品番号と合わせて記憶する（ステップＳ６）。
【００１９】
次に、商品購入者によって、携帯電話用商品購入ユニット２０の精算ボタン２３が押されると、携帯電話用商品購入ユニット２０の図示せぬ制御部は、精算ボタン２３が押されたことを認識する。そして、携帯電話用商品購入ユニット２０は、携帯電話３０の通信機能を利用して、携帯電話会社のインターネットアクセスサイトおよび決済システム４０を介して、インターネット６０経由で、自動販売機管理者のＷｅｂサイト５０にアクセスし、購入された商品の商品番号や合計金額等の料金情報を送信する（ステップＳ７）。
【００２０】
次に、商品購入者が、商品購入時に必要とされる、商品購入者に固有の暗証番号を携帯電話３０の図示せぬ操作ボタンを操作して入力すると、携帯電話３０は、入力された暗証番号を携帯電話会社のインターネットアクセスサイトおよび決済システム４０にパケット網を介して送信する。このとき、携帯電話３０の電話番号も携帯電話会社のインターネットアクセスサイトおよび決済システム４０に送信される（ステップＳ８）。
【００２１】
自動販売機管理者のＷｅｂサイト５０は、携帯電話３０から送信されてきた、商品購入者が購入した商品の商品番号や合計金額等の料金情報を、インターネット６０を介して携帯電話会社のインターネットアクセスサイトおよび決済システム４０に送信する。このとき、携帯電話３０の電話番号も携帯電話会社のインターネットアクセスサイトおよび決済システム４０に送信する。
【００２２】
携帯電話会社のインターネットアクセスサイトおよび決済システム４０は、自動販売機管理者のＷｅｂサイト５０から送信されてきた料金情報と、電話番号を記憶する。また、携帯電話３０から送信されてきた暗証番号が正しい暗証番号であるか否かを確認する。携帯電話会社のインターネットアクセスサイトおよび決済システム４０は、各携帯電話毎に、契約時に設定した暗証番号を電話番号に関連づけて記憶している。
【００２３】
従って、携帯電話３０から送信されてきた暗証番号と電話番号の組み合わせが、予め記憶している暗証番号と電話番号の組み合わせの中に存在するかを調べ、携帯電話３０から送信されてきた暗証番号と電話番号の組み合わせが、予め記憶している暗証番号と電話番号の組み合わせの中に存在する場合、その暗証番号は正しい暗証番号であると判定することができる。
【００２４】
暗証番号が正しいものであると判定された場合、携帯電話会社のインターネットアクセスサイトおよび決済システム４０は、商品購入者の購入商品についての決済を行う。例えば、購入商品の合計金額を電話料金に加算する。そして、購入商品の合計金額は、次回請求分の電話料金に加算されて商品購入者に請求され、指定された口座から引き落とされることとなる（ステップＳ９）。
【００２５】
携帯電話会社のインターネットアクセスサイトおよび決済システム４０は、決済が完了すると、決済が完了したことを、パケット網を介して携帯電話３０経由で携帯電話用商品購入ユニット２０に通知する（ステップＳ１０）。
【００２６】
携帯電話用商品購入ユニット２０は、携帯電話会社のインターネットアクセスサイトおよび決済システム４０より、決済が完了したことが通知されると、自動販売機１０の商品払い出し部１４に所定の信号を送る（ステップＳ１１）。
【００２７】
携帯電話用決済システム２０からのこの信号を受け取った商品払い出し部１４は、商品購入者が図示せぬボタンを押して購入した商品を払い出す（ステップＳ１２）。
【００２８】
商品購入者は、商品払い出し部１４によって払い出された商品を受け取った後、携帯電話３０の図示せぬ接続コネクタを、携帯電話用商品購入ユニット２０の携帯電話接続部２４から外す。
【００２９】
このように、商品購入者が、携帯電話３０を携帯電話用商品購入ユニット２０に携帯電話接続部２４を介して接続し、自動販売機１０が販売する商品のうち、欲しい商品に対応するボタンを押すと、自動販売機１０が携帯電話用商品購入ユニット２０を介して携帯電話３０経由で携帯電話会社のインターネットアクセスサイトおよび決済システム４０及び自動販売機管理者のＷｅｂサイト５０にアクセスして決済を行い、購入商品の払い出しを行う。
【００３０】
以上のように、本実施の形態においては、以下のような効果を奏する。第１の効果は、商品購入者（利用者）は、お金を持ち合わせていなくても、所望の商品を自動販売機１０から購入することができることである。
【００３１】
第２の効果は、携帯電話用商品購入ユニット２０は、自動販売機１０とは別ユニットであり、仕組み上、既存の自動販売機１０のシステムを大きく変えるものではないので、投資が少なくて済むことである。即ち、携帯電話用商品購入ユニット２０を既存の自動販売機１０に追加接続すれば、携帯電話３０の通信機能を利用して携帯電話会社のインターネットアクセスシステムおよび決済システム４０、並びに自動販売機管理者のＷｅｂサイト５０にアクセスし、販売した商品の代金を決済することができるので、システム構築に要するコストを抑えることができる。
【００３２】
なお、上記実施の形態においては、本発明を自動販売機に応用する場合について説明したが、その他の商品やサービスを自動で提供する他の機器にも応用することができる。
【００３３】
また、上記実施の形態の構成及び動作は例であって、本発明の趣旨を逸脱しない範囲で適宜変更することができることは言うまでもない。
【００３４】
【発明の効果】
以上の如く、本発明に係る決済システムによれば、決済ユニットは、携帯電話を接続し、自動販売機が販売しようとする商品に関する商品情報と、販売した商品の販売価格を取得し、取得された商品情報と販売価格とを記憶し、取得された商品情報と販売価格とを、携帯電話の通信機能を利用して、インターネットアクセスサイトを介してＷｅｂサイトに送信し、インターネットアクセスサイトからの決済完了通知を携帯電話の通信機能を利用して受信し、決済完了通知が受信されたとき、自動販売機に対して商品の払い出しを指示する。また、Ｗｅｂサイトは、決済ユニットから送信されてきた自動販売機が販売しようとする商品の商品情報と、販売価格とに基づいて、インターネットアクセスサイトに対して、商品の決済を行うように指示する。また、インターネットアクセスサイトは、決済ユニットに接続された携帯電話から送信されてきた携帯電話に固有の暗証番号を受信し、暗証番号が正しい暗証番号であるか否かを判定し、判定結果に応じて、Ｗｅｂサイトからの指示に従って、商品の代金を暗証番号に対応する携帯電話を所有する商品の購入者の電話料金に加算して決済し、決済が完了したことを示す決済完了通知を決済ユニットに送信するようにしたので、携帯電話用商品購入ユニットを既存の自動販売機に接続するだけで、商品購入者が所有する携帯電話の通信機能を利用して、購入した商品の料金を決済することができる。従って、既存の自動販売機を利用して、安価に商品購入システムを構築することができ、初期投資を少なくすることができる。
【図面の簡単な説明】
【図１】本発明を応用した自動販売システムの一実施の形態の構成例を示す図である。
【符号の説明】
１０　自動販売機
１１　自動販売機管理制御部
１２　金額精算管理部
１３　商品選択管理部
１４　商品払い出し部
２０　携帯電話用商品購入ユニット
２１　ディスプレイ
２２　開始ボタン
２３　精算ボタン
２４　携帯電話接続部
３０　携帯電話
４０　携帯電話会社のインターネットアクセスサイトおよび決済システム
５０　自動販売機管理者のＷｅｂサイト
６０　インターネット
【図１】
2004086270.tif 000003